(57)【要約】【課題】複数の天井バーの交差部の連結構造を簡略化しても、それらの交差角度を、直角等の所望の正確な角度に維持することができるとともに、部品点数が少なく、天井の組み付け作業性を向上しうるようにした天井構造を提供する。【解決手段】天井スラブから垂下する吊支手段により吊支した複数の天井バー６、７を互いに交差させ、複数の天井バーにより天井板を支持するようにし、  複数の天井バー６、７の交差部Ａに、複数の腕部１４が予め定めた角度をもって交差部から水平に延出する基片１６と、この基片１６の各腕部１４の両側より垂下する１対の垂下片１７とを備える角度規制部材１８を、両垂下片１７が各天井バー６、７を両側方から挟むようにして、上方より嵌合する。【選択図】        図２
2004244821.tif 000002
【特許請求の範囲】
【請求項１】
天井スラブから垂下する吊支手段により吊支した複数の天井バーを互いに交差させ、前記複数の天井バーにより天井板を支持するようにした天井構造において、
複数の天井バーの交差部に、複数の腕部が予め定めた角度をもって交差部から水平に延出する基片と、この基片の各腕部の両側より垂下する１対の垂下片とを備える角度規制部材を、前記両垂下片が各天井バーを両側方から挟むようにして、上方より嵌合したことを特徴とする天井構造。
【請求項２】
角度規制部材の基片を、互いに直角をなす複数の腕部を備える平面視Ｌ字状、Ｔ字状、または十字状とした請求項１記載の天井構造。
【請求項３】
角度規制部材が、平面視ほぼＬ字状、Ｔ字状、または十字状に切り出した鋼板の各腕部に相当する部分の両側部を下向き折曲して垂下片を形成したものである請求項１または２記載の天井構造。
【請求項４】
角度規制部材が、鋼板の各腕部に相当する部分の両側部に、コ字状または半円弧状の切り込み溝を形成し、前記切り込み溝の内側の部分を下向き折曲して垂下片を形成したものである請求項１または２記載の天井構造。
【請求項５】
第１の天井バーの中間部側面に係合孔を穿設し、前記係合孔に、互いに対向する２個の第２の天井バーにおける対向端部に設けた突片を両側方から嵌合して、両突片を他方の第２の天井バーと結合することにより、第１の天井バーと、互いに対向する２個の第２の天井バーとを、交差部において平面視十字状に結合した請求項１〜４のいずれかに記載の天井構造。
【発明の詳細な説明】
【０００１】
【発明の属する技術分野】
本発明は、天井構造、特に、天井スラブから吊支された複数の天井バーの交差部の構造に関する。
【０００２】
【従来の技術】
従来のこの種の天井構造としては、例えば、吊りボルトにより吊支された主天井レールの側面に、平面視Ｔ字状の継手部材における第１の取付片をボルト締めし、かつ継手部材における第１の取付片より側方に突出する第２の取付片に、補助天井レールをボルト締めすることにより、主天井レールと補助天井レールとを直角に連結するようにしたものがある（例えば特許文献１参照）。
【０００３】
また、吊りボルトにより吊支された野縁受けの下方に、クリップをもって固定バーを交差状に吊支し、固定バーの下面に、断面ハット状の支持バーを下方よりねじ止めし、さらに支持バーの下端より両側方に延出する下部水平片上に、断面が倒立Ｔ字状をなす補助支持バーの各端部を載置し、支持バーを挟んで互いに対向する１対の補助支持バーの各端部同士を、種々のクリップをもって互いに連係するようにしたものもある（例えば特許文献２参照）。
【０００４】
【特許文献１】
特開２００１−３０３７１２号公報（第３〜４頁、図３及び図４）
【特許文献２】
特開平８−９３１２４号公報（第３〜４頁、図１〜図７）
【０００５】
【発明が解決しようとする課題】
しかし、特許文献１のような天井構造では、ボルト締め個所が多く、組み付け作業が繁雑である。
【０００６】
また、特許文献２のような天井構造では、支持バーと補助支持バーとの交差部における直角度が出にくく、複数の支持バーと補助支持バーとによって形成される格子の目が菱形になり易い。この格子の目が菱形になると、その後に、天井板等を各格子の目に嵌合し難くなり、天井の組み付け作業性が低下する。
【０００７】
本発明は、従来の技術が有する上記のような問題点に鑑みてなされたもので、複数の天井バーの交差部の連結構造を簡略化しても、それらの交差角度を、直角等の所望の正確な角度に維持することができるとともに、部品点数が少なく、天井の組み付け作業性を向上しうるようにした天井構造を提供することを目的としている。
【０００８】
【課題を解決するための手段】
本発明によると、上記課題は、次のようにして解決される。
（１）  天井スラブから垂下する吊支手段により吊支した複数の天井バーを互いに交差させ、前記複数の天井バーにより天井板を支持するようにした天井構造において、複数の天井バーの交差部に、複数の腕部が予め定めた角度をもって交差部から水平に延出する基片と、この基片の各腕部の両側より垂下する１対の垂下片とを備える角度規制部材を、前記両垂下片が各天井バーを両側方から挟むようにして、上方より嵌合する。
【０００９】
（２）  上記（１）項において、角度規制部材の基片を、互いに直角をなす複数の腕部を備える平面視Ｌ字状、Ｔ字状、または十字状とする。
【００１０】
（３）  上記（１）または（２）項において、角度規制部材を、平面視ほぼＬ字状、Ｔ字状、または十字状に切り出した鋼板の各腕部に相当する部分の両側部を下向き折曲して垂下片を形成したものとする。
【００１１】
（４）  上記（１）または（２）項において、角度規制部材を、鋼板の各腕部に相当する部分の両側部に、コ字状または半円弧状の切り込み溝を形成し、前記切り込み溝の内側の部分を下向き折曲して垂下片を形成したものとする。
【００１２】
（５）  上記（１）〜（４）項のいずれかにおいて、第１の天井バーの中間部側面に係合孔を穿設し、前記係合孔に、互いに対向する２個の第２の天井バーにおける対向端部に設けた突片を両側方から嵌合して、両突片を他方の第２の天井バーと結合することにより、第１の天井バーと、互いに対向する２個の第２の天井バーとを、交差部において平面視十字状に結合する。
【００１３】
【発明の実施の形態】
以下、本発明の一実施形態を、図１〜図３を参照して説明する。
図１は、本発明の一実施形態である、いわゆるシステム天井を、天井スラブ（１）と部屋の側壁（２）との一部を切り欠いて示す斜視図である。
各側壁（２）に近接する部分には、側壁（２）と平行をなす直線状の吊枠（３）が、天井スラブ（１）より垂下する吊りボルト（４ａ）と高さ調節機能を有するハンガー（４ｂ）とからなる吊支手段（４）をもって、所要高さにおいて水平をなすようにして吊支されている。（５）は、各側壁（２）に沿って配設された側面視Ｌ字状の廻縁である。
【００１４】
側壁（２）に沿う４本の吊枠（３）（そのうち２本は図示略）の下方には、前後方向（図１の左下を前方、右上を後方、左上を左方、右下を右方とする）を向く複数のメインバー（第１の天井バー）（６）の前後の端部近傍と、左右方向を向く複数のサブバー（第２の天井バー）（７）の左右の端部近傍とが、吊り金具（８）をもって吊支され、メインバー（６）とサブバー（７）とは、交差部（Ａ）において互いに直角に交差し、全体として平面視格子状をなしている。
各メインバー（６）の前後の端部、及び各サブバー（７）の左右の端部には、上記廻縁（５）が互いに直角に交差するように止着されている。
【００１５】
なお、ここでは、説明を簡略化するため、部屋を単純な方形のものとし、吊枠（３）、廻縁（５）、メインバー（６）、サブバー（７）等を単純な方形枠状に形成してあるが、実際には、部屋の形状等に応じて、これらの配置は、適宜変更することがある。例えば、複数のメインバー（６）の間に、サブバー（７）をそれらと平行に配設したり、メインバー（６）同士を直角に交差させたりすることもある。
【００１６】
図２及び図３に示すように、メインバー（６）及びサブバー（７）は、互いに同一断面形状としてあり、それぞれ、垂直の基片（６ａ）（７ａ）の上端に、長手方向を向く角管部（６ｂ）（７ｂ）の中央が連設され、かつ基片（６ａ）（７ａ）の下端に、下方に向かって開口する断面下向きＣ字状をなす長手方向を向くチャンネル部（６ｃ）（７ｃ）の中央が連設されたものよりなっている。
【００１７】
メインバー（６）及びサブバー（７）は、それぞれ所要長さのものを順次連結して使用されるが、図２及び図３に示すように、メインバー（６）とサブバー（７）との交差部（Ａ）においては、メインバー（６）における基片（６ａ）の中央部に、上下方向に長い長孔（８）を穿設し、かつその直下のチャンネル部（６ｃ）の両側部に、挾角が９０°をなす平面視Ｖ字状の切欠き（９）を設け、一方、互いに対向する２個の短寸のサブバー（７）（７）における各基片（７ａ）の対向端部の一側面に、先端部に横向きの係合爪（１０ａ）を有する突片（１０）を固着するとともに、同じく他側面に、縦長の係合凹部（１１）を設け、さらに、各サブバー（７）のチャンネル部（７ｃ）の対向端部を、上記Ｖ字状の切欠き（９）と補形をなす平面視山形に切除し、このチャンネル部（７ｃ）の先端の山形尖先部（１２）を、メインバー（６）のチャンネル部（６ｃ）の両側部におけるＶ字状の切欠き（９）に嵌合するとともに、各突片（１０）を、メインバー（６）の長孔（８）にそれぞれ嵌合して、その先端部の係合爪（１０ａ）を、メインバー（６）を挟んで反対側に配設された対向するサブバー（７）の基片（７ａ）における係合凹部（１１）に係合させることにより、２個のサブバー（７）（７）を、メインバー（６）を挟んで互いに十字状に結合している。
【００１８】
しかし、このようなメインバー（６）とサブバー（７）（７）との結合構造では、それらの相互の角度を確実に直角に保つことは困難で、わずかの寸法誤差や結合部の狂い等により、それらによって形成される格子が菱形等に変形するおそれがある。
【００１９】
そうなると、各格子に嵌合するべき天井板（１３）が嵌合できなくなったり、または嵌合できても、天井板（１３）とメインバー（６）またはサブバー（７）等との間に楔形の間隙が生じたりすることがある。
【００２０】
因みに、各天井板（１３）は、２個のメインバー（６）（６）とサブバー（７）（７）とにより形成される格子内において、各側縁が、メインバー（６）及びサブバー（７）における基片（６ａ）（７ａ）とチャンネル部（６ｃ）（７ｃ）との間に形成される段差部（６ｄ）（７ｄ）に載置されるようにして支持される。
【００２１】
本発明においては、このようなメインバー（６）とサブバー（７）との交差部（Ａ）における直角度を正確に出させるため、図２及び図３に示すように、４個の腕部（１４）が互いに正確な直角をなして交差部（１５）から水平に延出するようにした平面視十字状の基片（１６）と、この基片（１６）の各腕部（１４）の両側より垂下する１対の垂下片（１７）（１７）とを備える角度規制部材（１８）を、両垂下片（１７）（１７）が各天井バーであるメインバー（６）及びサブバー（７）の上端部の角管部（６ｂ）（７ｂ）を両側方から挟むようにして、交差部（Ａ）に上方より嵌合している。
【００２２】
この例では、平面視直角をなして互いに隣接する垂下片（１７）（１７）の内側縁同士は、溶接等により互いに固着されている。
【００２３】
交差部（Ａ）に角度規制部材（１８）を嵌合することにより、メインバー（６）およびサブバー（７）は、各角管部（６ｂ）（７ｂ）が角度規制部材（１８）における各腕部（１４）の両側より垂下する１対の垂下片（１７）（１７）により両側方から把持されて、互いに直角に交差するように拘束され、万一、それまで交差角度が直角でなかった場合は矯正される。
【００２４】
その結果、メインバー（６）（６）とサブバー（７）（７）とにより形成される格子に天井板（１３）が嵌合できなくなったり、または嵌合できても、天井板（１３）とメインバー（６）またはサブバー（７）等との間に楔形の間隙が生じたりするのを防止することができる。
【００２５】
このような角度規制部材（１８）を、図１に示す多数の交差部（Ａ）のうちの任意の１個のものに上方より嵌合するだけで、ほぼ全体の交差部（Ａ）の直角度がかなりの程度まで是正されるが、互いに離れた複数の交差部（Ａ）に角度規制部材（１８）をそれぞれ上方より嵌合すると、全体の交差部（Ａ）の直角度をより効果的に是正することができる。換言すると、すべての交差部（Ａ）に角度規制部材（１８）を嵌合する必要はない。
【００２６】
角度規制部材（１８）は、交差部（Ａ）に上方より嵌合するだけで、その本来の効果を十分に発揮することができるが、図２及び図３に想像線で示すように、基片（１６）の交差部（１５）の中央、及び各腕部（１４）の先端部に、取付孔（１９）を穿設するとともに、それらに対応するメインバー（６）及びサブバー（７）の上端面にねじ孔（または下孔）（２０）を設け、角度規制部材（１８）を交差部（Ａ）に上方より嵌合した後、各取付孔（１９）より小ねじ（またはタッピングねじ）（２１）をねじ孔（または下孔）（２０）に螺合して、角度規制部材（１８）の各部をメインバー（６）及びサブバー（７）にねじ止めすれば、角度規制部材（１８）は上方へ外れ止めされるとともに、メインバー（６）とサブバー（７）とは、角度規制部材（１８）を介して強固に結合される。
【００２７】
図１に示すように、メインバー（６）及びサブバー（７）も、上述したのと同様の吊りボルト（４ａ）及びハンガー（４ｂ）からなる吊支手段（４）をもって、適所を天井スラブ（１）より吊支されている。
【００２８】
また、メインバー（６）（６）とサブバー（７）（７）とにより形成される所要の格子には、天井板（１３）に代えて、空調機器、照明器具、スピーカ、煙検知器等の設備機器（いずれも図示略）が組み付けられた設備パネル（２２）が装着されている。
【００２９】
なお、上記実施形態においては、角度規制部材（１８）を、互いに直角をなす４個の腕部（１４）を備える十字状としたが、嵌合する交差部（Ａ）が平面視Ｌ字状またはＴ字状をなす場合は、それらに応じて、２個または３個の腕部（１４）が互いに直角をなす平面視Ｌ字状またはＴ字状のものとすることもある。
また、複数の腕部（１４）の交差角度は、メインバー（６）とサブバー（７）との交差角度に応じて、９０°以外の、例えば４５°その他の角度とすることもある。
【００３０】
図４及び図５は、角度規制部材の変形例を示す。
この例では、鋼板をプレス加工して、図４に想像線で示す展開図のように、平面視正方形とした基片（３１）の中央部（３２）の各角部から所要幅の４本の腕部（３３）が放射状に延出し、かつ各腕部（３３）の両側に、台形状部（３４）を連設したほぼ十字状の半製品を切り出し、その各台形状部（３４）を、腕部（３３）との境界部で下方に直角に折曲して、垂下片（３５）とすることにより、角度規制部材（３０）を形成している。
【００３１】
この角度規制部材（３０）のような構成とすると、鋼板をプレス加工するだけで、簡単に製造することができる。
【００３２】
なお、図４に想像線で示すように、基片（３１）の中央部（３２）と４本の腕部（３３）の先端部とに、図２に想像線で示す取付孔（１９）と同様の取付孔（３６）を穿設し、各取付孔（３６）を利用して、角度規制部材（３０）をメインバー及びサブバーにねじ止めするようにしてもよい。
【００３３】
また、図４に示す半製品から、１個または２個の腕部（３３）を、中央部（３２）との境界部分で切除することにより、Ｔ字状またはＬ字状の角度規制部材を簡単に形成することもできる。
【００３４】
図６及び図７は、角度規制部材の別の変形例を示す。
この例では、図６に想像線で示すように、ほぼ正方形とした鋼板（４０）の対角線方向に配設した十字状の腕部（４１）に相当する部分の両側部に、複数の半円弧状（コ字状とすることもある）の切り込み溝（４２）（４２）を形成し、各切り込み溝（４２）の内側部分（４３）を下向き折曲して垂下片（４４）を形成し、さらに、鋼板（４０）の各辺よりＶ字状の切欠き（４６）を設けて、ほぼ十字状の角度規制部材（４５）形成してある。
【００３５】
なお、Ｖ字状の切欠き（４６）を設けないで、ほぼ正方形の鋼板（４０）のまま角度規制部材（４５）として使用してもよく、また図６に想像線で示すように、図２に想像線で示す取付孔（１９）と同様の取付孔（４７）を穿設したりすることもできる。
【００３６】
この角度規制部材（４５）のような構成としても、鋼板をプレス加工するだけで、簡単に製造することができる。
【００３７】
【発明の効果】
請求項１記載の発明によれば、複数の天井バーの任意の交差部に角度規制部材を上方より嵌合するだけで、各天井バーは角度規制部材における各腕部の両側より垂下する１対の垂下片により両側方から把持されて、互いに予め定められた正確な角度をもって交差するように拘束され、矯正されるので、複数の天井バーの交差部の連結構造を簡略化しても、それらの交差角度を、直角等の所望の正確な角度に維持することができる。
その結果、複数の天井バー間に天井板を嵌合できなくなったり、または嵌合できても、天井板といずれかの天井バーとの間に楔形の間隙が生じたりするのを確実に防止することができる。
また、複数の天井バーの交差部の連結構造を簡略化しうるとともに、部品点数を少なくして、天井の組み付け作業性を向上することができる。
【００３８】
請求項２記載の発明によれば、天井バーの交差部の形態に応じた対応を図ることができるとともに、角度規制部材を簡単に製造することができる。
【００３９】
請求項３記載の発明によれば、角度規制部材を、プレス加工等の簡単な機械加工だけで容易に製造することができる。
【００４０】
請求項４記載の発明によれば、角度規制部材を、プレス加工のみにより、さらに簡単に製造することができる。
【００４１】
請求項５記載の発明によれば、天井バー相互の結合構造を簡素化しうるとともに、ねじ止め作業等の繁雑な作業を行うことなく結合作業を簡単に行うことができる。
【図面の簡単な説明】
【図１】本発明の一実施形態であるシステム天井を、天井スラブと部屋の側壁との一部を切り欠いて示す斜視図である。
【図２】同じく、天井バーの交差部の分解斜視図である。
【図３】同じく、図２の組み付けた状態を示す斜視図である。
【図４】角度規制部材の変形例の展開状態を想像線で示す平面図である。
【図５】同じく、正面図である。
【図６】角度規制部材の別の変形例の展開状態を想像線で示す平面図である。
【図７】同じく、図６のＶＩＩ−ＶＩＩ線断面図である。
【符号の説明】
（１）天井スラブ
（２）側壁
（３）吊枠
（４）吊支手段
（４ａ）吊りボルト
（４ｂ）ハンガー
（５）廻縁
（６）メインバー（第１の天井バー）
（７）サブバー（第２の天井バー）
（６ａ）（７ａ）基片
（６ｂ）（７ｂ）角管部
（６ｃ）（７ｃ）チャンネル部
（６ｄ）（７ｄ）段差部
（８）長孔
（９）切欠き
（１０）突片
（１０ａ）係合爪
（１１）係合凹部
（１２）山形尖先部
（１３）天井板
（１４）腕部
（１５）交差部
（１６）基片
（１７）垂下片
（１８）角度規制部材
（１９）取付孔
（２０）ねじ孔
（２１）小ねじ
（２２）設備パネル
（３０）角度規制部材
（３１）基片
（３２）中央部
（３３）腕部
（３４）台形状部
（３５）垂下片
（３６）取付孔
（４０）鋼板
（４１）腕部
（４２）切り込み溝
（４３）内側部分
（４４）垂下片
（４５）角度規制部材
（４６）切欠き
（４７）取付孔
【図１】
2004244821.tif 000003
【図２】
2004244821.tif 000004
【図３】
2004244821.tif 000005
【図４】
2004244821.tif 000006
【図５】
2004244821.tif 000007
【図６】
2004244821.tif 000008
【図７】
2004244821.tif 000009